(57)【要約】【課題】物品群から所望の個数の物品のピッキングを、効率的かつ適切に支援すること。【解決手段】ピッキング支援システム１００は、物品を出荷する出荷先ごとに、ピッキングをおこなう所定の出荷先に関する情報の入力を受け付ける出荷先情報入力部７０１と、出荷する物品にかかる物品群の自動倉庫１０１からの出庫指示をおこなう出庫指示部７０７と、出庫指示された物品群が、所定の出荷先の後にピッキングをおこなう他の出荷先の物品にかかる物品群と同一であるか否かを判定する物品判定部７０４と、出庫指示された物品群から所定の出荷先に対してピッキングをおこなう物品のピッキング個数およびステーション１０５に仮置きする物品の仮置個数をステーション１０５に通知する通知部７０５と、ステーション１０５に設けられ、通知部７０５によって仮置個数の通知を受けた物品を仮置きする仮置棚１４０と、を備える。【選択図】        図７
2005089006.tif 000002
【特許請求の範囲】
【請求項１】
自動倉庫から出庫されてくる同一種の物品群の中から所望の数の物品のピッキングを支援するピッキング支援方法であって、
ピッキングをおこなう所定の出荷先に関する情報の入力を受け付ける出荷先情報入力工程と、
前記出荷先情報入力工程によって入力された所定の出荷先に関する情報に基づいて、出荷する物品にかかる物品群の前記自動倉庫からの出庫指示をおこなう出庫指示工程と、
前記出庫指示工程によって出庫指示された物品群が、前記所定の出荷先の後にピッキングをおこなう他の出荷先の物品にかかる物品群と同一であるか否かを判定する物品判定工程と、
前記所定の出荷先に関する情報および前記物品判定工程によって判定された結果に基づいて、前記出庫指示工程によって出庫指示された物品群から前記所定の出荷先に対してピッキングをおこなう前記物品のピッキング個数および仮置きする前記物品の仮置個数を通知する通知工程と、
を含んだことを特徴とするピッキング支援方法。
【請求項２】
前記他の出荷先に関する情報の入力を受け付ける第２の出荷先情報入力工程と、
前記第２の出荷先情報入力工程によって入力された前記他の出荷先に関する情報および前記通知工程による前記物品の仮置個数の通知の有無に基づいて、前記他の出荷先に対してピッキングをおこなう物品が、前記通知工程によって仮置個数の通知を受けた物品であるか否かを判定する通知判定工程と、
前記通知判定工程によって前記他の出荷先に対してピッキングをおこなう物品が、前記通知工程によって仮置個数の通知を受けた物品であると判定された場合、前記物品の仮置個数から前記他の出荷先に対してピッキングをおこなうピッキング個数を通知する第２の通知工程と、
を含んだことを特徴とする請求項１に記載のピッキング支援方法。
【請求項３】
自動倉庫から出庫されてくる同一種の物品群の中から所望の数の物品のピッキングを支援するピッキング支援プログラムであって、
ピッキングをおこなう所定の出荷先に関する情報の入力を受け付けさせる出荷先情報入力工程と、
前記出荷先情報入力工程によって入力された所定の出荷先に関する情報に基づいて、出荷する物品にかかる物品群の前記自動倉庫からの出庫指示をおこなわせる出庫指示工程と、
前記出庫指示工程によって出庫指示された物品群が、前記所定の出荷先の後にピッキングをおこなう他の出荷先の物品にかかる物品群と同一であるか否かを判定させる物品判定工程と、
前記所定の出荷先に関する情報および前記物品判定工程によって判定された結果に基づいて、前記出庫指示工程によって出庫指示された物品群から前記所定の出荷先に対してピッキングをおこなう前記物品のピッキング個数および仮置きする前記物品の仮置個数を通知させる通知工程と、
を、コンピュータに実行させることを特徴とするピッキング支援プログラム。
【請求項４】
自動倉庫から出庫されてくる同一種の物品群の中から所望の数の物品のピッキングを支援するピッキング支援システムであって、
前記物品を仮置きする仮置手段と、
前記物品を出荷する出荷先ごとに、ピッキングをおこなう所定の出荷先に関する情報の入力を受け付ける出荷先情報入力手段と、
前記出荷先情報入力手段によって入力された所定の出荷先に関する情報に基づいて、出荷する物品にかかる物品群の前記自動倉庫からの出庫指示をおこなう出庫指示手段と、
前記出庫指示手段によって出庫指示された物品群が、前記所定の出荷先の後にピッキングをおこなう他の出荷先の物品にかかる物品群と同一であるか否かを判定する物品判定手段と、
前記所定の出荷先に関する情報および前記物品判定手段によって判定された結果に基づいて、前記出庫指示手段によって出庫指示された物品群から前記所定の出荷先に対してピッキングをおこなう前記物品のピッキング個数および前記仮置手段に仮置きする前記物品の仮置個数を通知する通知手段と、
を備えることを特徴とするピッキング支援システム。
【請求項５】
自動倉庫から出庫されてくる同一種の物品群の中から所望の数の物品のピッキングを支援するピッキング支援装置であって、
前記物品を出荷する出荷先ごとに、ピッキングをおこなう所定の出荷先に関する情報の入力を受け付ける出荷先情報入力手段と、
前記出荷先情報入力手段によって入力された所定の出荷先に関する情報に基づいて、出荷する物品にかかる物品群の前記自動倉庫からの出庫指示をおこなう出庫指示手段と、
前記出庫指示手段によって出庫指示された物品群が、前記所定の出荷先の後にピッキングをおこなう他の出荷先の物品にかかる物品群と同一であるか否かを判定する物品判定手段と、
前記所定の出荷先に関する情報および前記物品判定手段によって判定された結果に基づいて、前記出庫指示手段によって出庫指示された物品群から前記所定の出荷先に対してピッキングをおこなう前記物品のピッキング個数および仮置きする前記物品の仮置個数を通知する通知手段と、
を備えることを特徴とするピッキング支援装置。
【発明の詳細な説明】
【技術分野】
【０００１】
この発明は、出荷先ごとに出庫されてくる物品を作業場においてピッキングするためのピッキング支援方法、ピッキング支援プログラム、ピッキング支援システムおよびピッキング支援装置に関する。
【背景技術】
【０００２】
従来から、物流センターや製造工場などでは、自動倉庫を用いて商品や製品、部品などの物品の入出庫を効率よくおこなっている。この自動倉庫は、スタッカークレーン、制御装置などを用いて入出庫作業を自動化した多段高層ラックであり、空間効率が高く、また機械化による省力化および作業の安全性向上を図ることができ、また、先入れ先出しをおこなうことが可能である。
【０００３】
すなわち、自動倉庫には、物品群として同一種の物品が複数収納された保管バケットが多段高層ラックに保管されており、制御装置により指定された保管バケットを出庫することができる。この出庫により、自動倉庫から順次出庫された物品群（保管バケット）がコンベアなどによって搬送されて、入出庫される物品の仕分けや自動倉庫の操作がおこなわれるステーションに到達する構成とされている。そして、作業者は、出庫されてきた保管バケットから出荷先に必要な個数の物品を取り出して、出荷用の別のバケットに投入するというピッキング作業をおこなう。ピッキング作業が完了した保管バケットについては、制御装置により再度自動倉庫に入庫するようになっている。
【０００４】
また、このような自動倉庫としては、たとえば、入出庫される物品の数が多い入出庫領域と各保管領域との間の搬送効率が高くなるように、入出庫される物品の数が多い入出庫領域に対する割当を優先させて、各入出庫領域に各保管領域を割当てることができる物品保管装置が提案されている（たとえば、下記特許文献１参照。）。
【０００５】
【特許文献１】特開２００３−９５４１１号公報
【発明の開示】
【発明が解決しようとする課題】
【０００６】
しかしながら、上述した従来技術では、ある物品を複数の出荷先に出荷するため、出荷先単位で出庫する場合、出庫してから自動倉庫に入庫するまでの間に、再度その物品の指示が出されることがあるため、以下のような問題があった。
【０００７】
たとえば、ある出荷先Ｘに対して物品Ａ〜Ｄを出荷し、別の出荷先Ｙに対して物品Ｃ、Ｅ〜Ｇを出荷する場合、作業者は、まず出荷先Ｘに出荷する物品Ａ〜Ｄを順次出庫する。またこれに続いて、出荷先Ｙに出荷する物品Ｃ、Ｅ〜Ｇも順次出庫する。このような場合、出荷先Ｘについて出庫された物品Ｃが再入庫されるまでの間に、出荷先Ｙについて物品Ｃの出庫指示がなされても、物品Ｃが自動倉庫にはないため、物品Ｃが自動倉庫に一旦入庫されてからでないと、出庫することができないこととなる。これにより、再度物品Ｃが出庫されてステーションに搬送されるまで作業待ち時間が発生してしまい、後続の物品Ｅ〜Ｇの出庫がその間できなくなり、作業効率の低下を招くという問題があった。
【０００８】
一方、作業効率の低下を防止するために、物品Ｃがステーションに搬送されるまでの作業待ち時間中に、後続の出荷先Ｚに出荷する物品Ｈ〜Ｊを出庫することとした場合、ステーションに搬送される物品Ｈ〜Ｊの間に物品Ｃが割り込んで搬送されることとなり、ステーションでのピッキング作業に混乱をきたすこととなる。これにより、出荷先Ｘに出荷する物品Ｃを誤って出荷先Ｚに割り振ったり、出荷先Ｚに出荷する物品Ｉを誤って出荷先Ｘに割り振ったりしてしまうことがあり、出荷ミスが生じるという問題があった。
【０００９】
この発明は、上述した従来技術による問題点を解消するため、ピッキング対象となる物品群から所望の個数の物品のピッキングを、効率的かつ適切に支援することができるピッキング支援方法、ピッキング支援プログラム、ピッキング支援システムおよびピッキング支援装置を提供することを目的とする。
【課題を解決するための手段】
【００１０】
上述した課題を解決し、目的を達成するため、この発明にかかるピッキング支援方法、ピッキング支援プログラム、ピッキング支援システムおよびピッキング支援装置は、自動倉庫から出庫されてくる同一種の物品群の中から所望の数の物品のピッキングを支援するピッキング支援方法、ピッキング支援プログラム、ピッキング支援システムおよびピッキング支援装置であって、ピッキングをおこなう所定の出荷先に関する情報の入力を受け付け、入力された所定の出荷先に関する情報に基づいて、出荷する物品にかかる物品群の前記自動倉庫からの出庫指示をおこない、出庫指示された物品群が、前記所定の出荷先の後にピッキングをおこなう他の出荷先の物品にかかる物品群と同一であるか否かを判定し、前記所定の出荷先に関する情報および前記物品判定によって判定された結果に基づいて、出庫指示された物品群から前記所定の出荷先に対してピッキングをおこなう前記物品のピッキング個数および仮置きする前記物品の仮置個数を通知することを特徴とする。
【００１１】
この発明によれば、同一種の物品群について複数の出荷先に出荷する場合、一度の出庫により、複数の出荷先すべてに出荷する物品の個数についてピッキングをおこなうことができる。
【００１２】
また、前記他の出荷先に関する情報の入力を受け付け、入力された前記他の出荷先に関する情報および前記物品の仮置個数の通知の有無に基づいて、前記他の出荷先に対してピッキングをおこなう物品が、前記通知工程によって仮置個数の通知を受けた物品であるか否かを判定し、前記他の出荷先に対してピッキングをおこなう物品が、仮置個数の通知を受けた物品であると判定された場合、前記物品の仮置個数から前記他の出荷先に対してピッキングをおこなうピッキング個数を通知することとしてもよい。
【００１３】
この発明によれば、今後ピッキングをおこなう出荷先に出荷する物品についての再出庫を防止することができ、作業待ち時間の発生を防止することができる。
【００１４】
また、前記通知は、前記物品判定によって判定された結果に基づいて、さらに、前記仮置個数分の物品を仮置きする仮置位置に関する情報を通知し、前記通知判定によって前記他の出荷先に対してピッキングをおこなう物品が通知されたと判定された場合、さらに、前記仮置位置に関する情報を通知することとしてもよい。
【００１５】
この発明によれば、出庫されてきた物品を仮置位置に配置することができる。また、他の出荷先に対して仮置位置からピッキングすることができる。
【発明の効果】
【００１６】
この発明にかかるピッキング支援方法、ピッキング支援プログラム、ピッキング支援システムおよびピッキング支援装置によれば、ピッキング対象となる物品群から所望の個数の物品のピッキングを、効率的かつ適切に支援することができるという効果を奏する。またこれにより、ピッキングされた物品の出荷ミスを防止することができ、ピッキング作業の信頼性の向上を図ることができるという効果を奏する。
【発明を実施するための最良の形態】
【００１７】
以下に添付図面を参照して、この発明にかかるピッキング支援方法、ピッキング支援プログラム、ピッキング支援システムおよびピッキング支援装置の好適な実施の形態を詳細に説明する。
【００１８】
まず、この発明の実施の形態にかかるピッキング支援システムについて説明する。なお、この実施の形態では、製造工場などにおいて、物品として製品またはその部品をピッキングするピッキング支援システムについて説明する。図１は、この発明の実施の形態にかかるピッキング支援システムを示す平面図であり、図２は、ピッキング支援システムのピッキングステーション（以下、単に「ステーション」と称す。）の拡大図である。
【００１９】
図１に示すように、ピッキング支援システム１００は、自動倉庫１０１と、出庫コンベア１０２と、入庫コンベア１０３と、ピッキングバケットコンベア１０４と、作業場となるステーション１０５と、から構成されている。自動倉庫１０１は、図１中ｘ方向に延在する多段高層ラック１１０が、ｙ方向に複数（図では８本）配置されている。各多段高層ラック１１０は、ｘ方向に１５個のカセット１１１が設けられており、また、ｚ方向にも複数段（不図示）のカセット１１１が設けられている。このカセット１１１には、それぞれ異なる製品または部品（以下、単に「物品」と称す。）が収納された保管バケット１１２が収納されている。
【００２０】
また、隣接する多段高層ラック１１０間のレーン１１３には、段ごとにスタッカークレーン１１４が設けられており、ｘ方向に移動自在とされている。このスタッカークレーン１１４は、カセット１１１の正面に位置したときにｙ方向に稼働することにより、カセット１１１に収納されている保管バケット１１２を取り出したり、保管バケット１１２を保持するスタッカークレーン１１４から保管バケット１１２を収納するように構成されている。
【００２１】
また、各多段高層ラック１１０の両端には、昇降自在なリフタ１１５が設けられている。一端側（図１中左側）のリフタ１１５は、スタッカークレーン１１４によって取り出された保管バケット１１２を出庫コンベア１０２に引き渡す。また、他端側（図１中右側）のリフタ１１５は、入庫コンベア１０３から搬送されてくる保管バケット１１２をスタッカークレーン１１４に引き渡す。出庫コンベア１０２は、保管バケット１１２が出庫される多段高層ラック１１０の一端側のリフタ１１５からステーション１０５へ保管バケット１１２を搬送する。また、入庫コンベア１０３は、ステーション１０５から多段高層ラック１１０の他端側のリフタ１１５へ保管バケット１１２を搬送する。
【００２２】
ピッキングバケットコンベア１０４は、各出荷先のピッキングバケット１１６をステーション１０５に搬入する。そして、ステーション１０５にて作業者１２０によって空のピッキングバケット１１６に物品が投入された場合、ステーション１０５からそのピッキングバケット１１６を搬出する。
【００２３】
ステーション１０５には、端末装置１３０と仮置棚１４０とが近接して設けられている。端末装置１３０は、保管バケット１１２に収納されている物品を空のピッキングバケット１１６にピッキングする作業者１２０によって操作される。また、仮置棚１４０は、保管バケット１１２に収納されている物品を一時的に保管、すなわち仮置きするための棚である。この端末装置１３０および仮置棚１４０については後述する。
【００２４】
つぎに、この発明の実施の形態にかかるピッキング支援システム１００の全体概要について説明する。図３は、この発明の実施の形態にかかるピッキング支援システム１００の全体概要を示す説明図である。このピッキング支援システム１００は、ピッキング支援サーバ３０１と、端末装置１３０と、自動倉庫制御装置３０２と、バケットコンベア制御装置３０３とがＬＡＮ、ＷＡＮ、インターネットなどのネットワーク３００を介して交信可能に接続されている。
【００２５】
ここで、ピッキング支援システム１００は、ピッキングデータベース３０４を備えており、システム全体を統括する。また、端末装置１３０は、仮置棚１４０の表示状態を制御（詳細は後述する）し、自動倉庫制御装置３０２は、ピッキング支援サーバ３０１からの出庫指示にしたがって、自動倉庫１０１の入出庫を制御し、バケットコンベア制御装置３０３は、ピッキング支援サーバ３０１からのピッキングバケット搬送指示にしたがって、ピッキングバケットコンベア１０４に対し、ピッキングバケット１１６を搬出するようにピッキングバケットコンベア１０４の駆動を実行する。
【００２６】
つぎに、この発明の実施の形態にかかるピッキング支援システム１００に適用される仮置棚１４０について説明する。図４は、この発明の実施の形態にかかるピッキング支援システム１００に適用される仮置棚１４０を示す概略斜視図である。仮置棚１４０は、たとえば４段構成とされており、物品Ｐが仮置きされる各仮置き領域４０１〜４０４には、仮置き位置情報となる仮置棚番４１０が表示されている。また、この仮置棚番４１０とともに表示ランプ４２０が設けられており、端末装置１３０からの入力によって点灯（または点滅）するようになっている。
【００２７】
つぎに、図３に示したピッキング支援サーバ３０１のハードウェア構成について説明する。図５は、この発明の実施の形態にかかるピッキング支援サーバ３０１のハードウェア構成を示すブロック図である。
【００２８】
図５に示すように、ピッキング支援サーバ３０１は、ＣＰＵ５０１と、ＲＯＭ５０２と、ＲＡＭ５０３と、ＨＤＤ（ハードディスクドライブ）５０４と、ＨＤ（ハードディスク）５０５と、ＦＤＤ（フレキシブルディスクドライブ）５０６と、着脱可能な記録媒体の一例としてのＦＤ（フレキシブルディスク）５０７と、ディスプレイ５０８と、Ｉ／Ｆ（インターフェース）５０９と、キーボード５１０と、マウス５１１と、スキャナ５１２と、プリンタ５１３と、を備えている。また、各構成部はバス５００によってそれぞれ接続されている。
【００２９】
ここで、ＣＰＵ５０１は、ピッキング支援サーバ３０１の全体の制御を司る。ＲＯＭ５０２は、ブートプログラムなどのプログラムを記憶している。ＲＡＭ５０３は、ＣＰＵ５０１のワークエリアとして使用される。ＨＤＤ５０４は、ＣＰＵ５０１の制御にしたがってＨＤ５０５に対するデータのリード／ライトを制御する。ＨＤ５０５は、ＨＤＤ５０４の制御で書き込まれたデータを記憶する。
【００３０】
ＦＤＤ５０６は、ＣＰＵ５０１の制御にしたがってＦＤ５０７に対するデータのリード／ライトを制御する。ＦＤ５０７は、ＦＤＤ５０６の制御で書き込まれたデータを記憶したり、ＦＤ５０７に記憶されたデータをピッキング支援サーバ３０１に読み取らせたりする。
【００３１】
着脱可能な記録媒体としては、ＦＤ５０７のほか、ＣＤ−ＲＯＭ（ＣＤ−Ｒ、ＣＤ−ＲＷ）、ＭＯ、ＤＶＤ（Digital Versatile Disk）、メモリーカードなどであってもよい。ディスプレイ５０８は、カーソル、アイコンあるいはツールボックスをはじめ、文書、画像、機能情報などのデータを表示する。このディスプレイ５０８は、たとえば、ＣＲＴ、ＴＦＴ液晶ディスプレイ、プラズマディスプレイなどを採用することができる。
【００３２】
Ｉ／Ｆ５０９は、通信回線を通じてインターネットなどのネットワーク３００に接続され、このネットワーク３００を介して他の装置に接続される。そして、Ｉ／Ｆ５０９は、ネットワーク３００と内部とのインターフェースを司り、外部装置からのデータの入出力を制御する。Ｉ／Ｆ５０９には、たとえばモデムやＬＡＮアダプタなどを採用することができる。
【００３３】
キーボード５１０は、文字、数字、各種指示などの入力のためのキーを備え、データの入力をおこなう。また、タッチパネル式の入力パッドやテンキーなどであってもよい。マウス５１１は、カーソルの移動や範囲選択、あるいはウィンドウの移動やサイズの変更などをおこなう。ポインティングデバイスとして同様に機能を備えるものであれば、トラックボールやジョイスティックなどであってもよい。
【００３４】
スキャナ５１２は、画像を光学的に読み取り、ピッキング支援サーバ３０１内に画像データを取り込む。なお、スキャナ５１２は、ＯＣＲ機能を持たせてもよい。また、プリンタ５１３は、画像データや文書データを印刷する。プリンタ５１３には、たとえば、レーザプリンタやインクジェットプリンタを採用することができる。また、端末装置１３０、自動倉庫制御装置３０２およびバケットコンベア制御装置３０３についても同様のハードウェア構成を採用することができる。
【００３５】
つぎに、ピッキング支援サーバ３０１に備えられているピッキングデータベース３０４に記憶されているデータ内容について説明する。図６は、この発明の実施の形態にかかるピッキングデータベース３０４のデータ内容を示す説明図である。
【００３６】
図６に示すように、ピッキングデータベース３０４は、出荷先と、物品の品番と、出荷個数と、保管棚番と、ピッキングバケット番号と、によって構成されている。ここで、保管棚番は、自動倉庫１０１の各カセット１１１に割り振られている番号であり、図１に示すｘｙｚ方向に対応して規定されている。たとえば、出荷先「甲」の品番「００１３」の物品の保管棚番は、「９−５−３」とされており、これは、図１に示す左上のカセット１１１を基準にして、ｘ方向の９番目、ｙ方向の５番目、ｚ方向の３番目のカセット１１１の保管棚番を表している。このピッキングデータベース３０４は、具体的には、図５に示したＲＯＭ５０２、ＲＡＭ５０３、ＨＤ５０５、ＦＤ５０７などによってその機能を実現する。
【００３７】
つぎに、図３に示したピッキング支援システム１００の機能的構成について説明する。図７は、この発明の実施の形態にかかるピッキング支援システム１００の機能的構成を示すブロック図である。まず、ピッキング支援サーバ３０１の機能的構成について説明する。ピッキング支援サーバ３０１は、図６に示したピッキングデータベース３０４と、通信部７００と、出荷先情報入力部７０１と、ファイル更新部７０２と、バケット搬送指示部７０３と、物品判定部７０４と、通知部７０５と、通知判定部７０６と、出庫指示部７０７と、から構成されている。
【００３８】
通信部７００は、端末装置１３０、自動倉庫制御装置３０２またはバケットコンベア制御装置３０３と、出荷先情報入力部７０１やバケット搬送指示部７０３、通知部７０５、出庫指示部７０７との間の送受信をおこなう。この通信部７００は、具体的には、図５に示したＩ／Ｆ５０９によってその機能を実現する。
【００３９】
出荷先情報入力部７０１は、物品を出荷する出荷先ごとに、ピッキングをおこなう所定の出荷先に関する情報（出荷先情報）の入力を受け付ける。この出荷先情報入力部７０１は、具体的には、作業スケジュール作成部７１１とファイル記憶部７１２とから構成されている。
【００４０】
作業スケジュール作成部７１１は、端末装置１３０から作業スケジュール作成入力があった場合、ピッキングデータベース３０４に基づいて、作業単位ファイル８００（図８参照）、出荷先ファイル９００（図９参照）および作業スケジュールファイル１０００（図１０参照）を作成する。作成される各ファイル８００〜１０００については後述する。
【００４１】
なお、ここで作成された作業スケジュールファイル１０００が、上記した出荷先情報となる。この作業スケジュール作成部７１１は、具体的には、図５に示したＲＯＭ５０２、ＲＡＭ５０３、ＨＤ５０５、ＦＤ５０７などに記録されたプログラムをＣＰＵ５０１が実行することによって、またはＩ／Ｆ５０９によって、その機能を実現する。
【００４２】
ファイル記憶部７１２は、作業スケジュール作成部７１１によって作成された作業単位ファイル８００、出荷先ファイル９００および作業スケジュールファイル１０００と、仮置棚１４０に保管状況を示す仮置棚情報ファイル１１００とを記憶する。このファイル記憶部７１２は、具体的には、図５に示したＲＯＭ５０２、ＲＡＭ５０３、ＨＤ５０５、ＦＤ５０７などによってその機能を実現する。
【００４３】
ファイル更新部７０２は、通知部７０５からの入力にしたがって、ファイル記憶部７１２に記憶されている作業スケジュールファイル１０００や仮置棚情報ファイル１１００の内容を更新する。このファイル更新部７０２は、具体的には、図５に示したＲＯＭ５０２、ＲＡＭ５０３、ＨＤ５０５、ＦＤ５０７などに記録されたプログラムをＣＰＵ５０１が実行することによって、またはＩ／Ｆ５０９によって、その機能を実現する。
【００４４】
バケット搬送指示部７０３は、作業スケジュールファイル１０００によって設定された出荷先のピッキング順に同期して、その出荷先のピッキングバケット１１６の搬送指示をバケットコンベア制御装置３０３に出力する。このバケット搬送指示部７０３は、具体的には、図５に示したＲＯＭ５０２、ＲＡＭ５０３、ＨＤ５０５、ＦＤ５０７などに記録されたプログラムをＣＰＵ５０１が実行することによって、またはＩ／Ｆ５０９によって、その機能を実現する。
【００４５】
物品判定部７０４は、作業スケジュールファイル１０００を参照して、出庫指示部７０７によって出庫指示された物品が、所定の出荷先の後にピッキングをおこなう他の出荷先の物品と同一であるか否かを判定する。この物品判定部７０４は、具体的には、図５に示したＲＯＭ５０２、ＲＡＭ５０３、ＨＤ５０５、ＦＤ５０７などに記録されたプログラムをＣＰＵ５０１が実行することによって、またはＩ／Ｆ５０９によって、その機能を実現する。
【００４６】
また、通知部７０５は、通知判定部７０６と、物品判定部７０４によって判定された結果に基づいて、出庫指示部７０７によって出庫指示された物品群（すなわち、保管バケット１１２に収納されている同一種の複数個の物品）から所定の出荷先に対してピッキングをおこなう物品のピッキング個数および仮置棚１４０に仮置きする物品の仮置個数を、端末装置１３０に通知する。この通知部７０５は、具体的には、図５に示したＲＯＭ５０２、ＲＡＭ５０３、ＨＤ５０５、ＦＤ５０７などに記録されたプログラムをＣＰＵ５０１が実行することによって、またはＩ／Ｆ５０９によって、その機能を実現する。
【００４７】
通知判定部７０６は、作業スケジュールファイル１０００を参照して、現在ピッキング対象となっている出荷先に対してピッキングをおこなう物品が、通知部７０５によって仮置個数の通知を受けた物品であるか否かを判定する。この通知判定部７０６は、具体的には、図５に示したＲＯＭ５０２、ＲＡＭ５０３、ＨＤ５０５、ＦＤ５０７などに記録されたプログラムをＣＰＵ５０１が実行することによって、またはＩ／Ｆ５０９によって、その機能を実現する。
【００４８】
出庫指示部７０７は、作業スケジュールファイル１０００によって設定された出荷先に出荷する同一種の物品を複数収納する保管バケット１１２が保管されているカセット番号（保管棚番）を参照して、通知判定部７０６によって、現在ピッキング対象となっている出荷先に対してピッキングをおこなう物品が、仮置個数の通知を受けた物品であると判定された場合、その物品が収納された保管バケット１１２の出庫指示を自動倉庫制御装置３０２に出力する。この出庫指示部７０７は、具体的には、図５に示したＲＯＭ５０２、ＲＡＭ５０３、ＨＤ５０５、ＦＤ５０７などに記録されたプログラムをＣＰＵ５０１が実行することによって、またはＩ／Ｆ５０９によって、その機能を実現する。
【００４９】
つぎに、端末装置１３０の機能的構成について説明する。端末装置１３０は、入力部７２１と、保管バケット検出部７２２と、表示部７２３と、端末制御部７２４と、から構成されている。入力部７２１は、作業者１２０の操作によって、ピッキング支援サーバ３０１に対し、作業スケジュール作成入力やピッキング完了入力などの各種入力をおこなう。この入力部７２１は、具体的には、図５に示したキーボード５１０、マウス５１１によってその機能を実現する。
【００５０】
保管バケット検出部７２２は、出庫コンベア１０２の終端、すなわちステーション１０５に、保管バケット１１２が到達したか否かを検出する。保管バケット検出部７２２は、具体的には、投受光センサや重量センサなどによってその機能を実現する。また、保管バケット１１２に出荷先を特定するバーコードが印字されている場合には、バーコードリーダであってもよい。
【００５１】
また、表示部７２３は、ピッキング支援サーバ３０１から送信されてくるバケット搬送指示、出庫指示、ピッキング通知および仮置通知などの各種作業指示または通知の内容を表示する。この表示部７２３は、具体的には、図５に示したディスプレイ５０８によってその機能を実現する。また、端末制御部７２４は、端末装置１３０の通信制御や仮置棚１４０への点灯入力を制御する。この端末制御部７２４は、具体的には、図５に示したＲＯＭ５０２、ＲＡＭ５０３、ＨＤ５０５、ＦＤ５０７などに記録されたプログラムをＣＰＵ５０１が実行することによって、またはＩ／Ｆ５０９によって、その機能を実現する。
【００５２】
また、ピッキングバケット検出部７３０は、ピッキングバケットがステーション１０５に到達したか否かを検知する。ピッキングバケット検出部７３０は、具体的には、投受光センサや重量センサなどによってその機能を実現する。また、出荷先を特定するバーコードがピッキングバケットに印字されている場合には、バーコードリーダであってもよい。
【００５３】
つぎに、作業スケジュール作成部７１１によって作成される各種ファイルについて説明する。図８は、作業スケジュール作成部７１１によって作成された作業単位ファイル８００を示す説明図、図９は、作業スケジュール作成部７１１によって作成された出荷先ファイル９００を示す説明図、図１０は、作業スケジュール作成部７１１によって作成された作業スケジュールファイル１０００を示す説明図である。
【００５４】
図８に示すように、作業単位ファイル８００は、たとえば、物品の出荷方面ごとや、物品の出荷量などを考慮して、作業単位ごとに出荷先のピッキング順を設定する。この作業単位ファイル８００は、ピッキングデータベース３０４の出荷先にピッキング順を設定したものである。
【００５５】
また、図９に示すように、出荷先ファイル９００は、物品の保管棚番、品番、ピッキングする物品のトータル出荷個数、仮置個数、出荷先、出荷先ごとの出荷個数を規定する。これにより、出荷先ファイル９００では、出庫する物品の品番がどの出荷先に出荷するかを整理することができる。そして、同一品番の物品について、複数の出荷先の品番を、ピッキングデータベース３０４から抽出することができる。
【００５６】
また、図１０に示すように、作業スケジュールファイル１０００は、作業単位ごとに、ピッキング順、出荷先、ピッキングバケット番号、物品の出庫順、物品の品番、出荷個数、保管棚番、仮置棚番、仮置通知棚番、仮置通知個数を規定する。
【００５７】
この作業スケジュールファイル１０００では、たとえば、出荷先「甲」に出荷する品番「００１１」の物品については、出荷先「甲」については、出荷個数は２個とされており、仮置きを通知する仮置棚１４０の棚番（仮置通知棚番）「１」に保管される仮置通知個数は４個とされている。また、これにより、出荷先「乙」に出荷する品番「００１１」の物品については、仮置棚番「１」と出荷個数「２」が設定されているため、仮置棚番「１」から、品番「００１１」の物品を２個ピッキングすることとなる。
【００５８】
また、出荷先「丙」に出荷する品番「００１７」の物品については、初期の作業スケジュール上、仮置きをすることができないため、仮置通知棚番は「仮置不可」とされており、これに対応して、出荷先「戊」に出荷する品番「００１７」の物品についても、仮置棚番は設定されておらず、「再出庫必要」とされている。また、この「仮置不可」および「再出庫必要」は、ファイル更新部７０２の更新処理によって、棚番に更新可能とされている。この例では、更新処理によって、仮置通知棚番および仮置棚番が「１」に設定される。
【００５９】
つぎに、ファイル記憶部７１２に記憶される仮置棚情報ファイル１１００について説明する。図１１および図１２は、ファイル記憶部７１２に記憶される仮置棚情報ファイル１１００の更新状態を示す説明図である。なお、図中ハッチングが施されていない箇所は、各更新時において更新された箇所をあらわしている。
【００６０】
図１１に示すように、更新１（１回目の更新）は、初期状態から、品番「００１１」の物品が仮置棚番１に４個仮置きされたことを示す。また、更新３は、更新２の状態から、品番「００１１」の物品が仮置棚番「１」から２個ピッキングされたことを示す。また、図１２に示すように、更新９に示す状態から、品番「００１９」の物品を５個仮置きしようとしても、仮置棚１４０に空きがないため、品番「００１９」の物品は仮置きすることができないこととなる。
【００６１】
つぎに、この発明の実施の形態にかかるピッキング支援システム１００によるピッキング処理手順について説明する。図１３〜図１５は、この発明の実施の形態にかかるピッキング支援システム１００によるピッキング処理手順を示すフローチャートである。
【００６２】
まず、図１３に示すように、端末装置１３０の操作入力により、作業スケジュールの作成入力を受け付けた場合（ステップＳ１３０１：Ｙｅｓ）、ピッキングデータベース３０４を参照して、図８に示した作業単位ファイル８００を作成する（ステップＳ１３０２）。つぎに、ピッキングデータベース３０４を参照して、図９に示した出荷先ファイル９００を作成する（ステップＳ１３０３）。そして、作業単位ファイル８００と出荷先ファイル９００から、図１０に示した作業スケジュールファイル１０００を作成する（ステップＳ１３０４）。
【００６３】
つぎに、図１４に示すように、ピッキング順ｍを１、そのピッキング順ｍにおける出庫順ｎを１に設定する（ステップＳ１４０１）。そして、ｍ番目の出荷先のピッキングバケット１１６の搬送指示を、バケットコンベア制御装置３０３に送信する（ステップＳ１４０２）。これにより、バケットコンベア制御装置３０３は、ｍ番目の出荷先の空のピッキングバケット１１６をステーション１０５に搬送する。
【００６４】
つぎに、作業スケジュールファイル１０００を参照して、ｍ番目の出荷先に出荷するｎ番目の物品について、仮置棚番が設定されているか否かを判定する（ステップＳ１４０３）。仮置棚番が設定されている場合（ステップＳ１４０３：Ｙｅｓ）、ｍ番目の出荷先のピッキングバケット１１６がステーション１０５に到達したことを検出したか否かを判定する（ステップＳ１４０４）。
【００６５】
ピッキングバケット１１６の到達を検出した場合（ステップＳ１４０４：Ｙｅｓ）、端末装置１３０に対し、ｍ番目の出荷先に出荷するｎ番目の物品について、設定された仮置棚番からのピッキング通知（仮置ピッキング通知）を送信する（ステップＳ１４０５）。これにより、端末装置１３０の表示部７２３には、図１６に示すような仮置ピッキング通知画面１６００が表示される。この仮置ピッキング通知画面１６００は、出荷先「戊」について、仮置棚１４０の仮置棚番「４」から、仮置きされている品番「００１６」の物品を２個ピッキングするというピッキング通知を表示する画面である。
【００６６】
作業者１２０は、この仮置ピッキング通知画面１６００を参照することによって、ピッキング対象となる物品を仮置棚１４０から特定することができる。また、この仮置ピッキング通知により、設定された仮置棚番に点灯入力がされて、表示ランプ４２０が点灯（または点滅）する。これにより作業者１２０は、仮置棚１４０に保管されている物品を調べなくても、ピッキング対象となっている物品を特定することができ、ピッキング作業の効率化およびピッキングミスの防止を図ることができる。
【００６７】
一方、仮置棚番が設定されていない場合（ステップＳ１４０３：Ｎｏ）、自動倉庫制御装置３０２に対し、ｍ番目の出荷先に出荷するｎ番目の物品に出庫指示を送信する（ステップＳ１４０６）。これにより、自動倉庫１０１からその物品が収納されている保管バケット１１２がステーション１０５に出庫されてくる。そして、ｍ番目の出荷先のピッキングバケット１１６がステーション１０５に到達したことを検出したか否かを判定する（ステップＳ１４０７）。
【００６８】
ピッキングバケット１１６の到達を検出した場合（ステップＳ１４０７：Ｙｅｓ）、作業スケジュールファイル１０００を参照して、仮置通知（すなわち、その物品について、仮置通知棚番および仮置通知個数の設定）が設定されているか否かを判定する（ステップＳ１４０８）。
【００６９】
仮置通知が設定されている場合（ステップＳ１４０８：Ｙｅｓ）、端末装置１３０に対し、ｍ番目の出荷先に出荷するｎ番目の物品についてのピッキング通知および仮置通知を送信する（ステップＳ１４０９）。これにより、端末装置１３０の表示部７２３には、図１７に示すようなピッキング通知／仮置通知画面１７００が表示される。このピッキング通知／仮置通知画面１７００は、出荷先「甲」について、保管バケット１１２から、品番「００１１」の物品を６個取り出し、ピッキングバケット１１６に２個投入し、仮置棚１４０の仮置棚番「１」に４個仮置きするというピッキングおよび仮置きを通知する画面である。
【００７０】
作業者１２０は、このピッキング通知／仮置通知画面１７００を参照することにより、ステーション１０５に到達した保管バケット１１２からピッキング対象となる物品について、現在ピッキング対象となっている出荷先に出荷する個数分を取り出して、ピッキングバケット１１６に投入することができる。また、保管バケット１１２から仮置個数分を取り出して、ピッキング通知／仮置通知画面１７００に表示されている仮置棚番に保管することができる。
【００７１】
一方、仮置通知が設定されていない場合（ステップＳ１４０８：Ｎｏ）、端末装置１３０に対し、ｍ番目の出荷先に出荷するｎ番目の物品についてのピッキング通知を送信する（ステップＳ１４１０）。これにより、端末装置１３０の表示部７２３には、図１８に示すようなピッキング通知画面１８００が表示される。このピッキング通知画面１８００は、出荷先「甲」について、保管バケット１１２から、品番「００１２」の物品を３個取り出し、ピッキングバケット１１６に３個投入するというピッキングを通知する画面である。
【００７２】
作業者１２０は、このピッキング通知画面を参照することにより、ステーション１０５に到達した保管バケット１１２からピッキング対象となる物品について、現在ピッキング対象となっている出荷先に出荷する個数分を取り出して、ピッキングバケット１１６に投入することができる。
【００７３】
そして、各指示の後、各表示画面１６００〜１８００のピッキング完了ボタン１６０１〜１８０１が入力されたか否かを判定する（ステップＳ１４１１）。ピッキング完了入力があった場合（ステップＳ１４１１：Ｙｅｓ）、図１５に示すように、仮置ピッキング通知または仮置通知が送信されたか否かを判定する（ステップＳ１５０１）。仮置ピッキング通知および仮置通知がなかった場合（ステップＳ１５０１：Ｎｏ）は、ステップＳ１５０６に移行する。
【００７４】
仮置ピッキング通知または仮置通知があった場合（ステップＳ１５０１：Ｙｅｓ）は、仮置棚情報ファイル１１００を更新する（ステップＳ１５０２）。この送信により仮置棚１４０に空きが発生しない場合は（ステップＳ１５０３：Ｎｏ）、ステップＳ１５０６に移行する。一方、空きが発生した場合には（ステップＳ１５０３：Ｙｅｓ）、次のピッキング対象となる物品について、作業スケジュールファイル１０００に仮置不可フラグがあるか否かを判定する（ステップＳ１５０４）。仮置不可フラグがない場合は（ステップＳ１５０４：Ｎｏ）、ステップＳ１５０６に移行する。
【００７５】
一方、次のピッキング対象となる物品について、作業スケジュールファイル１０００に仮置不可フラグがある場合は（ステップＳ１５０４：Ｙｅｓ）、作業スケジュールファイル１０００を更新する（ステップＳ１５０５）。この作業スケジュールファイル１０００の更新は、具体的には、仮置不可フラグを消去して、空きとなった仮置棚番を設定するとともに、その後に、同一物品の品番に設定されている再出庫必要フラグも消去して、空きとなった仮置棚番を設定する。
【００７６】
たとえば、図１０の作業スケジュールファイル１０００に示すように、現在のピッキング対象が出荷先「丙」の品番「００１５」の物品をピッキング対象とした場合、作業スケジュールファイル１０００を更新すると、仮置棚１４０は、図１２に示す「更新７」の状態となる。また、つぎのピッキング対象となる物品は、出荷先「丙」の品番「００１７」の物品である。
【００７７】
この品番「００１７」の物品の仮置通知棚番には、図１０に示すように仮置不可フラグが立てられているが、図１２に示す「更新７」の状態では仮置棚番「１」および「３」は空き棚番となっているため、仮置不可フラグを消去して、仮置通知棚番を「１」に設定し、かつ、同一品番「００１７」の出荷先「戊」の仮置棚番について、再出庫必要フラグも消去して、仮置通知棚番と同一の棚番「１」を設定する。これにより、作業スケジュール上、仮置不可とされていた物品について、作業中に仮置棚番を設定することができ、作業効率の向上を図ることができる。
【００７８】
また、作業スケジュールファイル１０００を更新した後、出庫順を１つインクリメントする（ステップＳ１５０６）。そして、インクリメントされた出庫順ｎが、あらかじめその出荷先に設定された最後の出庫順Ｎと一致であるか否かを判定する（ステップＳ１５０７）。一致しない場合は（ステップＳ１５０７：Ｎｏ）、図１４のステップＳ１４０３に移行する。一方、一致する場合は（ステップＳ１５０７：Ｙｅｓ）、その出荷先のピッキングが終了したこととなり、ピッキング順ｍを１つインクリメントする（ステップＳ１５０８）。
【００７９】
そして、インクリメントされたピッキング順ｍが、あらかじめ設定された最後のピッキング順Ｍと一致するか否かを判定する（ステップＳ１５０９）。一致しない場合は（ステップＳ１５０９：Ｎｏ）、図１４に示すステップＳ１４０２に移行する。一方、一致する場合は（ステップＳ１５０９：Ｙｅｓ）、終了する。
【００８０】
以上説明したように、この実施の形態によれば、ステーション１０５に仮置棚１４０を設けたことにより、同一物品について複数の出荷先に出荷する場合、一度の出庫により、複数の出荷先すべてについてピッキングをおこなうことができる。したがって、一度出庫した物品を再入庫する途中に、他の出荷先に出荷するためにピッキングしたい場合、再出庫されるまで待機する必要がなく、仮置棚１４０から即座にピッキングをおこなうことができる。これにより、作業効率の向上を図ることができる。
【００８１】
また、後続の物品群（保管バケット）について順次出庫している途中に割り込んで、同一物品群について再出庫されると、ステーション１０５における作業者１２０のピッキング作業に混乱を来たし、ピッキングミスが生じる原因となるが、この実施の形態によれば、仮置棚１４０を設置したことにより出荷先ごとにピッキング作業が完了するため、出荷先ごとにピッキングミスのない正確なピッキング作業をおこなうことができ、誤出荷を防止することができる。
【００８２】
また、上述した実施の形態では、製造工場などにおいて、物品として製品またはその部品をピッキングするピッキング支援システム１００について説明したが、物流センターなどにおいて、保管されている商品をピッキングするための物流システムとして用いることとしてもよい。
【００８３】
なお、この実施の形態で説明したピッキング支援方法は、予め用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【００８４】
（付記１）自動倉庫から出庫されてくる同一種の物品群の中から所望の数の物品のピッキングを支援するピッキング支援方法であって、
ピッキングをおこなう所定の出荷先に関する情報の入力を受け付ける出荷先情報入力工程と、
前記出荷先情報入力工程によって入力された所定の出荷先に関する情報に基づいて、出荷する物品にかかる物品群の前記自動倉庫からの出庫指示をおこなう出庫指示工程と、
前記出庫指示工程によって出庫指示された物品群が、前記所定の出荷先の後にピッキングをおこなう他の出荷先の物品にかかる物品群と同一であるか否かを判定する物品判定工程と、
前記所定の出荷先に関する情報および前記物品判定工程によって判定された結果に基づいて、前記出庫指示工程によって出庫指示された物品群から前記所定の出荷先に対してピッキングをおこなう前記物品のピッキング個数および仮置きする前記物品の仮置個数を通知する通知工程と、
を含んだことを特徴とするピッキング支援方法。
【００８５】
（付記２）前記他の出荷先に関する情報の入力を受け付ける第２の出荷先情報入力工程と、
前記第２の出荷先情報入力工程によって入力された前記他の出荷先に関する情報および前記通知工程による前記物品の仮置個数の通知の有無に基づいて、前記他の出荷先に対してピッキングをおこなう物品が、前記通知工程によって仮置個数の通知を受けた物品であるか否かを判定する通知判定工程と、
前記通知判定工程によって前記他の出荷先に対してピッキングをおこなう物品が、前記通知工程によって仮置個数の通知を受けた物品であると判定された場合、前記物品の仮置個数から前記他の出荷先に対してピッキングをおこなうピッキング個数を通知する第２の通知工程と、
を含んだことを特徴とする付記１に記載のピッキング支援方法。
【００８６】
（付記３）前記通知工程は、前記物品判定工程によって判定された結果に基づいて、さらに、前記仮置個数分の物品を仮置きする仮置位置に関する情報を通知し、
前記第２の通知工程は、前記通知判定工程によって前記他の出荷先に対してピッキングをおこなう物品が通知されたと判定された場合、さらに、前記仮置位置に関する情報を通知することを特徴とする付記２に記載のピッキング支援方法。
【００８７】
（付記４）自動倉庫から出庫されてくる同一種の物品群の中から所望の数の物品のピッキングを支援するピッキング支援プログラムであって、
ピッキングをおこなう所定の出荷先に関する情報の入力を受け付けさせる出荷先情報入力工程と、
前記出荷先情報入力工程によって入力された所定の出荷先に関する情報に基づいて、出荷する物品にかかる物品群の前記自動倉庫からの出庫指示をおこなわせる出庫指示工程と、
前記出庫指示工程によって出庫指示された物品群が、前記所定の出荷先の後にピッキングをおこなう他の出荷先の物品にかかる物品群と同一であるか否かを判定させる物品判定工程と、
前記所定の出荷先に関する情報および前記物品判定工程によって判定された結果に基づいて、前記出庫指示工程によって出庫指示された物品群から前記所定の出荷先に対してピッキングをおこなう前記物品のピッキング個数および仮置きする前記物品の仮置個数を通知させる通知工程と、
を、コンピュータに実行させることを特徴とするピッキング支援プログラム。
【００８８】
（付記５）前記他の出荷先に関する情報の入力を受け付けさせる第２の出荷先情報入力工程と、
前記第２の出荷先情報入力工程によって入力された前記他の出荷先に関する情報および前記通知工程による前記物品の仮置個数の通知の有無に基づいて、前記他の出荷先に対してピッキングをおこなう物品が、前記通知工程によって仮置個数の通知を受けた物品であるか否かを判定させる通知判定工程と、
前記通知判定工程によって前記他の出荷先に対してピッキングをおこなう物品が、前記通知工程によって仮置個数の通知を受けた物品であると判定された場合、前記物品の仮置個数から前記他の出荷先に対してピッキングをおこなうピッキング個数を通知させる第２の通知工程と、
を、コンピュータに実行させることを特徴とする付記４に記載のピッキング支援プログラム。
【００８９】
（付記６）前記通知工程は、前記物品判定工程によって判定された結果に基づいて、さらに、前記仮置個数分の物品を仮置きする仮置位置に関する情報を通知させ、
前記第２の通知工程は、前記通知判定工程によって前記他の出荷先に対してピッキングをおこなう物品が通知されたと判定された場合、さらに、前記仮置位置に関する情報を通知させることを特徴とする付記５に記載のピッキング支援プログラム。
【００９０】
（付記７）自動倉庫から出庫されてくる同一種の物品群の中から所望の数の物品のピッキングを支援するピッキング支援システムであって、
前記物品を仮置きする仮置手段と、
前記物品を出荷する出荷先ごとに、ピッキングをおこなう所定の出荷先に関する情報の入力を受け付ける出荷先情報入力手段と、
前記出荷先情報入力手段によって入力された所定の出荷先に関する情報に基づいて、出荷する物品にかかる物品群の前記自動倉庫からの出庫指示をおこなう出庫指示手段と、
前記出庫指示手段によって出庫指示された物品群が、前記所定の出荷先の後にピッキングをおこなう他の出荷先の物品にかかる物品群と同一であるか否かを判定する物品判定手段と、
前記所定の出荷先に関する情報および前記物品判定手段によって判定された結果に基づいて、前記出庫指示手段によって出庫指示された物品群から前記所定の出荷先に対してピッキングをおこなう前記物品のピッキング個数および前記仮置手段に仮置きする前記物品の仮置個数を通知する通知手段と、
を備えることを特徴とするピッキング支援システム。
【００９１】
（付記８）前記出荷先情報入力手段によって前記他の出荷先に関する情報および前記通知手段による前記物品の仮置個数の通知の有無に基づいて、前記他の出荷先に対してピッキングをおこなう物品が、前記通知手段によって仮置個数の通知を受けた物品であるか否かを判定する通知判定手段を備え、
前記通知手段は、
前記通知判定手段によって前記他の出荷先に対してピッキングをおこなう物品が、仮置個数の通知を受けた物品であると判定された場合、前記仮置手段から前記他の出荷先に対するピッキングをおこなうピッキング個数を通知し、
前記通知判定手段によって前記他の出荷先に対してピッキングをおこなう物品が、仮置個数の通知を受けていない物品であると判定された場合、前記出庫指示手段によって、前記他の出荷先に対してピッキングをおこなう物品群の前記自動倉庫からの出庫指示をおこなうことを特徴とする付記７に記載のピッキング支援システム。
【００９２】
（付記９）前記通知手段は、前記物品判定手段によって判定された結果に基づいて、前記仮置手段に仮置きされている前記仮置個数分の物品の仮置位置に関する情報を通知し、前記通知判定手段によって前記他の出荷先に対してピッキングをおこなう物品が通知されたと判定された場合、前記仮置位置に関する情報を通知することを特徴とする付記８に記載のピッキング支援システム。
【００９３】
（付記１０）自動倉庫から出庫されてくる同一種の物品群の中から所望の数の物品のピッキングを支援するピッキング支援装置であって、
前記物品を出荷する出荷先ごとに、ピッキングをおこなう所定の出荷先に関する情報の入力を受け付ける出荷先情報入力手段と、
前記出荷先情報入力手段によって入力された所定の出荷先に関する情報に基づいて、出荷する物品にかかる物品群の前記自動倉庫からの出庫指示をおこなう出庫指示手段と、
前記出庫指示手段によって出庫指示された物品群が、前記所定の出荷先の後にピッキングをおこなう他の出荷先の物品にかかる物品群と同一であるか否かを判定する物品判定手段と、
前記所定の出荷先に関する情報および前記物品判定手段によって判定された結果に基づいて、前記出庫指示手段によって出庫指示された物品群から前記所定の出荷先に対してピッキングをおこなう前記物品のピッキング個数および仮置きする前記物品の仮置個数を通知する通知手段と、
を備えることを特徴とするピッキング支援装置。
【００９４】
（付記１１）前記出荷先情報入力手段によって前記他の出荷先に関する情報および前記通知手段による前記物品の仮置個数の通知の有無に基づいて、前記他の出荷先に対してピッキングをおこなう物品が、前記通知手段によって仮置個数の通知を受けた物品であるか否かを判定する通知判定手段を備え、
前記通知手段は、
前記通知判定手段によって前記他の出荷先に対してピッキングをおこなう物品が、仮置個数の通知を受けた物品であると判定された場合、前記他の出荷先に対するピッキングをおこなうピッキング個数を通知し、
前記通知判定手段によって前記他の出荷先に対してピッキングをおこなう物品が、仮置個数の通知を受けていない物品であると判定された場合、前記出庫指示手段によって、前記他の出荷先に対してピッキングをおこなう物品群の前記自動倉庫からの出庫指示をおこなうことを特徴とする付記１０に記載のピッキング支援装置。
【００９５】
（付記１２）前記通知手段は、前記物品判定手段によって判定された結果に基づいて、仮置きされている前記仮置個数分の物品の仮置位置に関する情報を通知し、前記通知判定手段によって前記他の出荷先に対してピッキングをおこなう物品が通知されたと判定された場合、前記仮置位置に関する情報を通知することを特徴とする付記１１に記載のピッキング支援装置。
【産業上の利用可能性】
【００９６】
以上のように、この発明にかかるピッキング支援方法、ピッキング支援プログラム、ピッキング支援システムおよびピッキング支援装置は、物流センターや製造工場などに適用される物流システム等に有用であり、特に、自動倉庫を用いた物流システム等に適している。
【図面の簡単な説明】
【００９７】
【図１】この発明の実施の形態にかかるピッキング支援システムを示す平面図である。
【図２】図１に示したピッキング支援システムにおけるピッキングステーションの拡大図である。
【図３】この発明の実施の形態にかかるピッキング支援システムの全体概要を示す説明図である。
【図４】この発明の実施の形態にかかるピッキング支援システムに適用される仮置棚を示す概略斜視図である。
【図５】この発明の実施の形態にかかるピッキング支援サーバのハードウェア構成を示すブロック図である。
【図６】この発明の実施の形態にかかるピッキングデータベースのデータ内容を示す説明図である。
【図７】この発明の実施の形態にかかるピッキング支援システムの機能的構成を示すブロック図である。
【図８】作業スケジュール作成部によって作成された作業単位ファイルを示す説明図である。
【図９】作業スケジュール作成部によって作成された出荷先ファイルを示す説明図である。
【図１０】作業スケジュール作成部によって作成された作業スケジュールファイルを示す説明図である。
【図１１】ファイル記憶部に記憶される仮置棚情報ファイルの更新状態を示す説明図（その１）である。
【図１２】ファイル記憶部に記憶される仮置棚情報ファイルの更新状態を示す説明図（その２）である。
【図１３】この発明の実施の形態にかかるピッキング支援システムによるピッキング処理手順を示すフローチャート（その１）である。
【図１４】この発明の実施の形態にかかるピッキング支援システムによるピッキング処理手順を示すフローチャート（その２）である。
【図１５】この発明の実施の形態にかかるピッキング支援システムによるピッキング処理手順を示すフローチャート（その３）である。
【図１６】仮置ピッキング通知画面を示す説明図である。
【図１７】ピッキング通知／仮置通知画面を示す説明図である。
【図１８】ピッキング通知画面を示す説明図である。
【符号の説明】
【００９８】
１００  ピッキング支援システム
１０５  ピッキングステーション
１３０  端末装置
１４０  仮置棚
３０１  ピッキング支援サーバ
【図１】
2005089006.tif 000003
【図２】
2005089006.tif 000004
【図３】
2005089006.tif 000005
【図４】
2005089006.tif 000006
【図５】
2005089006.tif 000007
【図６】
2005089006.tif 000008
【図７】
2005089006.tif 000009
【図８】
2005089006.tif 000010
【図９】
2005089006.tif 000011
【図１０】
2005089006.tif 000012
【図１１】
2005089006.tif 000013
【図１２】
2005089006.tif 000014
【図１３】
2005089006.tif 000015
【図１４】
2005089006.tif 000016
【図１５】
2005089006.tif 000017
【図１６】
2005089006.tif 000018
【図１７】
2005089006.tif 000019
【図１８】
2005089006.tif 000020